(57)【要約】      （修正有）【課題】ハンガーに容易に着脱し得るハンガーポップを提供する。【解決手段】ハンガーポップ１１の展開状態では、一枚のシート状部材を形成する。また、このシート状部材は、その略中央部にハンガーのフック部を挿通させるための開口１４と、前記シート状部材を開口の両側から折り曲げ可能な折曲部１５と、前記両側の端部には折り曲げ時にそれぞれ互いに連結可能な連結手段１７、１８と、前記開口１４から内縁から前記シート状部材の外縁まで延びて該シート状部材を２分割可能な切り取り部１５ａ、１５ｂを備える。【選択図】図３
0003178138.tif 000002
【実用新案登録請求の範囲】
【請求項１】
ハンガーに装着するハンガーポップであって、
展開状態では、一枚のシート状部材を形成し、
該シート状部材は、
その略中央部にハンガーのフック部を挿通させるための開口と、
前記シート状部材を開口の両側から折り曲げ可能な折曲部と、
前記両側の端部には折り曲げ時にそれぞれ互いに連結可能な連結手段と、
前記開口から内縁から前記シート状部材の外縁まで延びて該シート状部材を２分割可能な切り取り部を備えるハンガーポップ。
【請求項２】
前記切り取り部は、前記折り曲げ部に沿って配設される請求項１に記載のハンガーポップ。
【請求項３】
前記切り取り部は、前記シート状部材を折り曲げたときの一方側に２本配設される、該２本の切り取り部により分割された前記シート状部材の一方に前記連結手段の一方が配置され、前記シート状部材の他方に前記連結手段の他方が配置される、請求項１に記載のハンガーポップ。
【請求項４】
前記切り取り部は、前記シート状部材を折り曲げたときの両側にそれぞれ１本づつ配設される、請求項１に記載のハンガーポップ。
【考案の詳細な説明】
【技術分野】
【０００１】
本考案は、ハンガーから容易に着脱し得るハンガーポップに関する。
【背景技術】
【０００２】
インナー肌着、パジャマなどの被服をハンガーに掛けて陳列した状態で販売する際、被服のサイズ、素材、特徴、広告などの被服に関する情報をハンガーポップに記載して陳列する場合が多い。詳細には後述するが、ハンガーポップとは主にハンガーのフック部等の被服で覆われないアーム部分に取り付ける商品陳列用ラベルであり、消費者の注意を引き付ける目的のものである。
【０００３】
ハンガーポップは消費者が購入する際にハンガーから取り外す使い捨てのものが多い。また、販売員がハンガーに掛けられた被服を交換する度にハンガーポップも同様に交換する。したがって、ハンガーポップはハンガーに着脱容易である方が好ましい。
【０００４】
しかしながら、従来のハンガーポップの場合、ハンガーから取り外す際に消費者又は販売員が手作業でハンガーポップを取り外していたため手間がかかり、必ずしも着脱容易とは言い難かった。その反面、ハンガーポップは被服を展示している際にはハンガーにしっかりと装着させておく必要がありハンガーとの連結部を容易に破断できるような構成にすることも難しい。
【先行技術文献】
【特許文献】
【０００５】
【特許文献１】特開２００５−１５６７２４号公報
【考案の開示】
【考案が解決しようとする課題】
【０００６】
本考案は、以上の事情に鑑みて創作されたものであり、ハンガーに確実に装着されつつ容易に着脱可能な構成のハンガーポップを提供することを目的とする。
【課題を解決するための手段】
【０００７】
上記目的を達成するために本考案では、ハンガーに装着するハンガーポップであって、展開状態では、一枚のシート状部材を形成し、
該シート状部材は、その略中央部にハンガーのフック部を挿通させるための開口と、前記シート状部材を開口の両側（例えば、図３の情報表示部１２、１３参照）から折り曲げ可能な折曲部（例えば、図３、図４の折り曲げ部１５，２５参照）と、
前記両側の端部には折り曲げ時にそれぞれ互いに連結可能な連結手段（例えば、図３の連結手段１７，１８参照）と、
前記開口から内縁から前記シート状部材の外縁まで延びて該シート状部材を２分割可能な切り取り部（例えば、図３、図４の切り取り部１５、２３ａ参照）を備えるハンガーポップを提供する。
【０００８】
本ハンガーポップでは、消費者や販売者が切り込み線に沿ってハンガーポップを切断するとハンガーポップが開口周りに２分割される。これによりハンガーからハンガーポップを容易に取り外すことができる。また、ハンガーポップは折り曲げ部を折り曲げて両側を連結してハンガーのアーム部を裏表から挟み込んで連結する連結手段を設けているが、本考案の場合、取り外しの際には連結手段とは別個の切り取り部を用いこととしている、したがって、取り外しを容易にするために連結手段を破断しやすいものにする必要もなくハンガーにしっかりと装着することができる。
【０００９】
また、前記切り取り部は、前記折り曲げ部に沿って（並行に）配設することが好ましい（例えば、図３、図７参照）。
【００１０】
本ハンガーポップの場合、折り曲げ部に沿って切り取り部が配設されるため切り取り部を破断するとハンガーのフック部とアーム部の境界付近からハンガーポップが２つに分割されて簡単に外すことができる。
【００１１】
また、本ハンガーポップでは、切り取り部を前記シート状部材を折り曲げたときの一方側に２本配設させることもできる（例えば、図４〜図６参照）。この２本の切り取り部により分割された前記シート状部材の一方に前記連結手段の一方が配置され、前記シート状部材の他方に前記連結手段の他方が配置される。
【００１２】
このハンガーポップの場合、ハンガーのアーム部の裏側又は表側に配設される部分に分割される。さらに、このハンガーポップの場合、分割された切片の両方にそれぞれ連結手段の一方側が配設されるため連結状態のまま分割され、巻き取りテープを取りはずがごとくハンガーポップをアーム部の周りで取り外すことができる。
【００１３】
さらに、本ハンガーポップでは、前記切り取り部は、前記シート状部材を折り曲げたときの両側にそれぞれ１本づつ配設されても良い（例えば、図８〜図９参照）。
【００１４】
このハンガーポップの場合、切り取り部によりハンガーポップを破断するとハンガー装着状態における横方向に２分割されるため、ハンガーポップをアーム部上を横にスライドさせて取り外すことが可能となる。
【考案の効果】
【００１５】
本考案のハンガーポップによれば、消費者又は販売者がハンガーに容易に着脱することができる。また、本ハンガーポップでは、ハンガーに被服等を装着して展示している状態でもハンガーポップをハンガーに確実に装着させることができる。
【図面の簡単な説明】
【００１６】
【図１】従来型のハンガーポップの略斜視図を示している。
【図２】図１のハンガーポップの展開図を示している。
【図３】本考案のハンガーポップの１つの実施形態の展開図を示している。
【図４】図３のハンガーポップの変形例を示している。
【図５】図４のハンガーポップの変形例を示している。
【図６】図４のハンガーポップの他の変形例を示している。
【図７】図３のハンガーポップの変形例を示している。
【図８】図７のハンガーポップの変形例を示している。
【図９】図７のハンガーポップの他の変形例を示している。
【考案を実施するための形態】
【００１７】
従来のハンガーポップ例
本考案の実施形態を説明するにあたって前提として従来のハンガーポップについて以下に一例を挙げて簡単に説明する。
【００１８】
図１は従来型のハンガーポップ１０１の略斜視図を示しており、図１のハンガーポップ１０１の展開図を示している。
【００１９】
まず、図１の斜視図を参照する。ハンガーポップ１０１は紙面下方からハンガー（図示せず）のフック部を挿入し、その上端に形成された開口１０４からフック部を出すことでハンガーに取り付ける。したがって、ハンガーポップ１０１はハンガーに取り付けられた状態では、表面１０２と裏面１０３とでハンガーのアーム部を挟み、折り曲げ部１０５，１０６がハンガーのアーム部の上部エッジを当接することとなる。表面１０２と裏面１０３とは情報表示面であり、それぞれハンガーに吊り下げる被服の情報を記載する。
【００２０】
図２の展開図を参照する。まず、情報表示部１０２、１０３を折り曲げ部１０５で折り曲げる。詳細には折り曲げ部１０５と情報表示部１０２，１０３との境界線であるＸ，Ｘ’をそれぞれ略直角に矢印Ａ方向に折り曲げる。次に、折り曲げ部１０６について表面側１０６ａ、裏面側１０６ｂをそれぞれ情報表示部１０２，１０３との境界線Ｙ、Ｙ’で略直角に折り曲げる。そして、表面側１０６ａが上になるように裏面側１０６ｂと接着剤等で貼り合わされ、一体の折り曲げ部１０６を形成する。この状態でも図１のようにハンガーポップ１０１の組み立て状態を形成しても良いが、ハンガーにしっかりと取り付けるためにハンガーポップ１０１の下端を連結しても良い。図２の場合、表面１０２の下端に雄側の連結手段１０７を配設し、裏面１０３の下端に雌側の連結手段１０８を配設する。雄側の連結手段１０７を雌側の連結手段１０８に挿入することでハンガーポップ１０１はその下端で連結される。
【００２１】
本考案の実施形態の例示
次に本考案のハンガーポップの実施形態についていくつか例示説明する。
【実施例１】
【００２２】
図３は本考案の１つの実施形態のハンガーポップ１１の展開図を示している。ハンガーポップ１１は折り曲げ前は１枚のシート状部材を形成する。情報表示部１２、１３は折り曲げ部１５で折り曲げられる。詳細には折り曲げ部１５は、開口１４の両側のＸ１，Ｘ１’付近がそれぞれ略直角に折り曲げられる。また、図３の例では折り曲げ部１５は切り取り部としても機能するものであり、開口１４の内縁からハンガーポップ１１の外縁までに亘ってＸ１、Ｘ１’に沿った切り取り線で形成された左右の切り取り部１５ａ、１５ｂで構成される。
【００２３】
この左右の切り取り部１５ａ、１５ｂを切り取るとハンガーポップ１１は情報表示部１２，１３が分割され、ハンガー（図示せず）から分離する。さらに、ハンガーポップ１１をハンガーにしっかりと取り付けるために情報表示部１２，１３の下端に連結手段を設けている。具体的には、情報表示部１２の下端（紙面上端）の一部は突出しており、その中に横方向の切込１７ａが設けられている。また、情報表示部１３の下端（紙面下端）には雌側の連結手段１８としての切込が配設されている。そして、連結手段１７を連結手段１８に挿入し、切込１７ａを連結手段１８に噛み合わせることで情報表示部１２，１３の下端を連結する。
【実施例２】
【００２４】
図４は本考案の２つ目の実施形態のハンガーポップ２１の展開図を示している。ハンガーポップ２１も折り曲げ前は１枚のシート状部材を形成する。情報表示部２２、２３は、折り曲げ部２５で折り曲げられる。詳細には、折り曲げ部２５は開口２４の両側のＸ２，Ｘ２’付近がそれぞれ略直角に折り曲げられて形成される。
【００２５】
また、裏面の情報表示部２３には切り取り部２３ａが配設される。切り取り部２３ａは、開口２４の内縁からハンガーポップ２１の外縁までに亘る切り取り線Ｙ２、Ｙ２’で形成されたものであり、この切り取り線Ｙ２，Ｙ２’を切り取ると情報表示部２３は切り取り部２３ａとそれ以外２３ｂとに分割され、ハンガー（図示せず）から分離する。
【００２６】
さらに、ハンガーポップ２１をハンガーにしっかりと取り付けるために情報表示部２２，２３の下端に連結手段を設けている。具体的には、情報表示部２２の下端（紙面上端）の一部は突出しており、その中に横方向の切込２７ａが設けられている。また、情報表示部２３の下端（紙面下端）には雌側の連結手段２８としての切込が配設されている。そして、連結手段２７を連結手段２８に挿入し、切込２７ａを連結手段２８に噛み合わせることで情報表示部２２，２３の下端を連結する。
【実施例３】
【００２７】
図５は図４のハンガーポップ２１の変形例２１’を示している。図５のハンガーポップ２１’は図４のハンガーポップ２１の情報表示部２２の部分のみを表している。このハンガーポップ２１’では切り取り部が表面の情報表示部２２’に配設されている。したがって、切り取り線Ｙ３，Ｙ３’を切り取ると情報表示部２２’が切り取り部２２’ａとそれ以外２２’ｂとに分割され、ハンガー（図示せず）から分離する。
【実施例４】
【００２８】
図６は図４のハンガーポップ２１の他の変形例２１”を示している。図６のハンガーポップ２１”は図４のハンガーポップ２１の情報表示部２３の部分のみを表している。このハンガーポップ２１”では切り取り線Ｙ４、Ｙ４’の形状が相違する。具体的には図６から明らかなように切り取り部２３”ｂはハンガーポップ２１”の外縁から開口２４に向かって先細りするテーパ形状であるが開口２４に向かう中途段階で切り取り線Ｙ４、Ｙ４’が並行になり切り取り部２３”ｂが等幅形状になって開口２４の内縁に到達する。ハンガーポップ２１”はこの形状に下、切り取り線Ｙ４，Ｙ４’を切り取ると情報表示部２３”が切り取り部２３”ａとそれ以外２３”ｂとに分割され、ハンガー（図示せず）から分離する。
【実施例５】
【００２９】
図７は図３のハンガーポップ１１の変形例１１’を示している。図７のハンガーポップ１１’は図３のハンガーポップ１１の情報表示部１３’の部分のみを表している。このハンガーポップ１１’では切り取り線Ｘ２、Ｘ２’の位置が図３と相違し、折り返し部１６’に対してオフセットされている。ハンガーポップ１１’はこの形状に下、切り取り線Ｘ２，Ｘ２’を切り取ると裏面の情報表示部１３’が表面の情報表示部（図示せず）と分割され、ハンガー（図示せず）から分離する。
【実施例６】
【００３０】
図８は図７のハンガーポップ１１の変形例１１”を示している。図８のハンガーポップ１１”は図７と同様に図３のハンガーポップ１１の情報表示部１３”の部分のみを表している。このハンガーポップ１１”では切り取り線Ｘ３、Ｘ３’の位置が図３、図７と相違し上下方向に亘っている。ハンガーポップ１１”はこの形状に下、切り取り線Ｘ３，Ｘ３’を切り取ると裏面の情報表示部１３”を２つの部分１３”ａ，１３”ｂに分割し、横方向にスライドさせることでハンガー（図示せず）から分離する。
【実施例７】
【００３１】
図９は図７のハンガーポップ１１の他の変形例１１’”を示している。図８のハンガーポップ１１’”は図７、図８と同様に図３のハンガーポップ１１の情報表示部１３’”の部分のみを表している。このハンガーポップ１１’”では切り取り線Ｘ４、Ｘ４’の位置が図３、図７、図８と相違し開口１４から斜め上方にハンガーポップ１１”’の外縁まで亘っている。ハンガーポップ１１’”はこの形状に下、切り取り線Ｘ４，Ｘ４’を切り取ると裏面の情報表示部１３’”を２つの部分１３’”ａ，１３’”ｂに分割し、横方向にスライドさせることでハンガー（図示せず）から分離する。
【００３２】
以上、本考案における防振装置についての実施形態およびその概念及び周辺技術について説明してきたが本考案はこれに限定されるものではなく特許請求の範囲および明細書等に記載の精神や教示を逸脱しない範囲で他の変形例、改良例が得られることが当業者は理解できるであろう。
【符号の説明】
【００３３】
１１、２１、１０１  ハンガーポップ
１２，２２、１０２  情報表示面（表面）
１３，２３，１０３  情報表示面（裏面）
１４，２４，１０４  開口
１５，２５、１０５  折り曲げ部
１６，２６，１０６  折り曲げ部
１７，２７、１０７  連結手段（雄側）
１８，２８，１０８  連結手段（雌側）１  防振装置
【図１】
0003178138.tif 000003
【図２】
0003178138.tif 000004
【図３】
0003178138.tif 000005
【図４】
0003178138.tif 000006
【図５】
0003178138.tif 000007
【図６】
0003178138.tif 000008
【図７】
0003178138.tif 000009
【図８】
0003178138.tif 000010
【図９】
0003178138.tif 000011